(57)【要約】【課題】前面枠の前面において斬新で美しくかつ迫力のある光演出を実現することのできる装飾ユニット、前面枠ユニット及び遊技機を提供すること。【解決手段】この装飾ユニット１６は、遊技盤６の前方に配置され、遊技盤６をその前方から視認可能とするための中央開口１２ａが形成された装飾枠１２の前面に配置されており、装飾光をその両端部１８ｂのうちの少なくとも一方から導入してその側部１８ｃから装飾枠１２の前方に向けて放出する複数の導光線材１８ａを有して中央開口１２ａの周囲の少なくとも一部に配置された導光手段１８と、導光線材１８ａの端部１８ｂに向けて装飾光を発光する発光手段１９とを有している。【選択図】図３
2009078040.tif 000002
【特許請求の範囲】
【請求項１】
遊技媒体を用いた遊技を実現する遊技装置体の前方に配置され、該遊技装置体をその前方から視認可能とするための中央開口が形成された前面枠の前面に配置される装飾ユニットであって、
装飾光をその両端部のうちの少なくとも一方から導入し、その側部から前記前面枠の前方に向けて放出する複数の柱状導光部材を有して、前記中央開口の周囲の少なくとも一部に配置された導光手段と、
該柱状導光部材の端部に向けて前記装飾光を発光する発光手段と、を有する装飾ユニット。
【請求項２】
前記導光手段において、前記複数の柱状導光部材がその長手方向を同一方向として互いに隙間を開けるようにその側部同士を隣接させて整列配置されている請求項１に記載の装飾ユニット。
【請求項３】
前記発光手段の発光光量又は発光色の少なくともいずれか一方を調整する発光調整手段を更に有する請求項１又は請求項２に記載の装飾ユニット。
【請求項４】
前記柱状導光部材が、エラストマー材料で形成されている請求項１から請求項３のうちいずれか１項に記載の装飾ユニット。
【請求項５】
前記遊技装置体と、
該遊技装置体を保持する枠ユニットと、
前記前面枠と、
前記遊技装置体に対してその前方に一定距離以上離間して配置された前面透明板と、
請求項１から請求項４のうちいずれか１項に記載の装飾ユニットと、
該装飾ユニットの後方に配置されて前記遊技媒体を用いた遊技を演出するための効果音を発するスピーカと、を有する遊技機。
【発明の詳細な説明】
【技術分野】
【０００１】
本発明は、装飾ユニット、前面枠ユニット及び遊技機に係り、特に遊技機の前面側において装飾光を用いることにより斬新で美しくかつ迫力のある遊技演出を実現することのできる装飾ユニット等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機においては、球の流下による遊技に演出性を加味して一層の興趣増大を図るべく、種々の遊技演出が行われる。例えば、遊技盤の前方に配置されて遊技者の目に付き易い前面枠は、その前面側に様々な造形や色彩が付されたり、各種の装飾ランプが配置されたりすることで、視覚的な面から遊技者の一層の興趣増大に寄与している。一方で、音声による遊技演出も図られている。例えば、スピーカが前面枠や前面枠下方に位置する幕板等に配置されて、遊技演出のための効果音等を発することにより、遊技者に聴覚的な面からの興趣を与えている。
【０００４】
例えば、特許文献１には、スピーカと導光体を用いた装飾部材とをスロットマシンの前面に配置した構成が開示されている。また、特許文献２には、幕板にスピーカグリルと光ファイバーとが配置され、スピーカからの音声とＬＥＤからの光を各々発する構成が開示されている。
【０００５】
【特許文献１】特開２００６−４３０５７号公報
【特許文献２】特開２００７−７５４８８号公報
【発明の開示】
【発明が解決しようとする課題】
【０００６】
しかしながら、前面枠は、遊技者にとって最も目に付き易い部分の１つであることから、遊技者の興趣をより一層増大させるために、前面枠においてより一層美しくかつ大迫力の光演出を行いたいという要望がある。また、遊技機に一見大迫力のスピーカが配置されているかのような錯覚的演出を行うことにより、遊技者に興趣を与えつつ、体感的に効果音の音質の向上や迫力の増大を擬似体験させたいという要望もある。
【０００７】
更に、前面枠の前面側におけるスピーカグリルを廃して、その前面側での装飾部材の配置の自由度を向上させたいという要望もある。スピーカの破壊等の不正行為を予防する観点から、遊技者がスピーカの位置を特定し難くなるように構成したいという要望もある。
【０００８】
本発明は、上記の事情に鑑みて為されたもので、前面枠の前面において斬新で美しくかつ迫力のある光演出を実現することのできる装飾ユニット、前面枠ユニット及び遊技機を提供することを例示的課題とする。
【課題を解決するための手段】
【０００９】
上記の課題を解決するために、本発明の例示的側面としての装飾ユニットは、遊技媒体を用いた遊技を実現する遊技装置体の前方に配置され、遊技装置体をその前方から視認可能とするための中央開口が形成された前面枠の前面に配置される装飾ユニットであって、装飾光をその両端部のうちの少なくとも一方から導入し、その側部から前面枠の前方に向けて放出する複数の柱状導光部材を有して、中央開口の周囲の少なくとも一部に配置された導光手段と、柱状導光部材の端部に向けて装飾光を発光する発光手段とを有することを特徴とする。
【００１０】
柱状導光部材の端部からその内部に導入された装飾光が、柱状導光部材の側部から前面枠の前方、すなわち遊技者に向けて放出されるように構成されているので、遊技者の目に付き易い前面枠の前面において斬新で美しい光演出を遊技者に提供することができる。したがって、その装飾光を用いた遊技演出によって遊技者の興趣を増大させることができる。
【００１１】
その柱状導光部材を複数有して構成される導光手段が中央開口の周囲の少なくとも一部（例えば、実質的に前面枠の上端近傍から下端近傍に架けて。）配置されているので、比較的大きな面積で前面枠の前面に導光手段を配置することができ、遊技者に対して迫力のある光演出を提供することができる。例えば、効果音用のスピーカをこの導光手段の後方に配置することにより、スピーカの配置に影響を受けずに前面枠の前面に比較的大きな面積で導光手段を配置することができるので、導光手段の配置の自由度が増大するという効果も得ることができる。なお、導光手段の後方にスピーカを配置すれば、遊技者からスピーカを視認することが困難となり、スピーカの位置が遊技者によって特定され難くなる。その結果、スピーカに対する破壊等の不正行為が行われ難くなり、そのような不正行為の予防という効果も得ることができる。
【００１２】
ここで、「前方」とは、この装飾ユニットが遊技機に備えられた場合のその遊技機から遊技者に向かう方向を意味し、「手前側」で表現される場合がある。そして「前面」は、前方側の面を意味し、「表面」で表現される場合がある。逆に、「後方」は遊技者から遊技機に向かう方向を意味し、「奥側」で表現される場合がある。そして「後面」は、後方側の面を意味し、「裏面」で表現される場合がある。
【００１３】
前面枠は、遊技装置体の前方に配置される枠体であり、一般的には遊技機の中で最も遊技者寄りに位置するいわゆる装飾枠又はガラス枠と呼ばれるものを概念として含む。遊技機としては、後述するように様々なものを概念することができるが、典型的には、例えばパチンコ機を概念することができる。その場合において、例えば遊技装置体は遊技盤であり、遊技媒体はパチンコ球である。
【００１４】
「実質的に前面枠の上端近傍から下端近傍に架けて」は、必ずしも「前面枠の最上端から最下端に架けて」の場合のみに限定されない。通常の通念に照らして、導光手段が「略上端に相当する位置から略下端に相当する位置に架けて」配置される場合を含む。また、発光手段としては、ランプ、レーザ、蛍光体、燐光体等の種々の発光体を含むが、典型的には、例えばＬＥＤを概念することができる。
【００１５】
なお、柱状導光部材は、例えば円断面、楕円断面、多角形断面等を有して柱状（この場合において、線状及び円筒状の概念を含む。）に延びる柱状部材である。そして、有色又は無色の光透過性材料で形成されており、両端部のうちの少なくとも一方から光を内部に導入して側部から外部に向けて光を放出する機能を有している。
【００１６】
導光手段において、複数の柱状導光部材がその長手方向を同一方向として互いに隙間を開けるようにその側部同士を隣接させて整列配置されていてもよい。
【００１７】
柱状導光部材がその側部同士を隣接させて整列配置されているので、外観上整然としていて美観を生じることができる。したがって、遊技者に対して美感を与えることができて、より一層の興趣を増大させることができる。その柱状導光部材が互いに隙間を開けるように配置されているので、導光手段の後方にスピーカが配置された場合であっても、そのスピーカから発せられる効果音等の音声に対する音質や音量の劣化を低減することができる。
【００１８】
例えば、異なる２方向（例えば、直交する２方向。）を長手方向として各々整列配置された複数の柱状導光部材を、各々が交差するように配置すれば、導光手段全体があたかもスピーカグリッドであるかのように装飾的に表現することができる。それにより、遊技者に対して大迫力のスピーカが配置されているかのような錯覚的演出を行うことができ、遊技者に体感的に効果音の音質の向上や迫力の増大を擬似体験させることができる。
【００１９】
発光手段の発光光量又は発光色の少なくともいずれか一方を調整する発光調整手段を更に有してもよい。
【００２０】
発光手段の発光光量や発光色を調整することにより、導光手段における光演出をバリエーションに富むものとすることができる。導光手段全体としてその光の強度の強弱を演出したり光の色を多彩に変化させるだけでなく、柱状導光部材ごとに光の強度や色を変化させることによって、複数の色の光が柱状導光部材の内部で混合されて異なる色の光が生み出されるように演出したり、揺れるオーロラのように光のグラデーションがあたかも流れるように演出したりすることができる。したがって、更に一層印象的で美しい光の演出表現を遊技者に提供することができ、遊技者により強い興趣を与えることができる。
【００２１】
もちろん、発光調整手段と遊技を制御するための遊技制御手段とが連動することによって、遊技状況に対応してその光演出を変化させることができるようになっていてもよい。
【００２２】
柱状導光部材が、エラストマー材料で形成されていてもよい。エラストマー材料の弾性を利用することにより、導光手段の形状を曲面状に形成することが可能となり、形状や配置の自由度が増大する。例えば前面枠の前面が曲面で構成されている場合であっても、その曲面に沿って導光手段を配置することが可能となる。
【００２３】
また、エラストマー材料の柱状導光部材が屈曲してその部材内部に応力が生じると、材料密度が部分的に変化する。その密度変化によって側部からの光の放出状態が変化するので、例えば、光の濃淡表現等の斬新な光演出を提供することができる。
【００２４】
本発明の他の例示的側面としての遊技機は、遊技装置体と、遊技装置体を保持する枠ユニットと、前面枠と、遊技装置体に対してその前方に一定距離以上離間して配置された前面透明板と、上記の装飾ユニットと、装飾ユニットの後方に配置されて遊技媒体を用いた遊技を演出するための効果音を発するスピーカとを有することを特徴とする。
【００２５】
この遊技機は上記の装飾ユニットを有しているので、遊技者の目に付き易い前面枠の前面において斬新で美しい光演出を遊技者に提供することができる。したがって、その装飾光を用いた遊技演出によって遊技者の興趣を増大させることができる。
【００２６】
柱状導光部材を複数有して構成される導光手段が中央開口の周囲の少なくとも一部（例えば、実質的に前面枠の上端近傍から下端近傍に架けて。）配置されているので、比較的大きな面積で前面枠の前面に導光手段を配置することができ、遊技者に対して迫力のある光演出を提供することができる。
【００２７】
装飾ユニットの後方にスピーカを配置しているので、スピーカの配置に影響を受けずに前面枠の前面に比較的大きな面積で導光手段を配置することができ、導光手段の配置の自由度を増大させることができる。その上、スピーカの位置が遊技者によって特定され難くなるので、スピーカに対する破壊等の不正行為が行われ難くなり、そのような不正行為を予防することもできる。
【００２８】
本発明の更なる目的又はその他の特徴は、以下添付図面を参照して説明される好ましい実施の形態によって明らかにされるであろう。
【発明の効果】
【００２９】
本発明によれば、遊技者の目に付き易い前面枠の前面において斬新で美しくかつ迫力のある光演出を遊技者に提供することができる。したがって、その装飾光を用いた遊技演出によって遊技者の興趣を増大させることができる。スピーカを装飾ユニットの後方に配置することにより、前面枠の前面における導光手段の配置の自由度を増大させたり、遊技者からスピーカを視認困難としてスピーカに対する破壊等の不正行為を予防したりすることができる。
【発明を実施するための最良の形態】
【００３０】
［実施の形態１］
以下、本発明の実施の形態１について図面を用いて説明する。図１は、本発明の実施の形態１に係る遊技機としてのパチンコ機２の正面図である。このパチンコ機２は、枠ユニット３、遊技盤（遊技装置体）６、装飾枠ユニット８（前面枠ユニット）８、前面ガラス（前面透明板）１０、発射ユニット（不図示）、貯留皿１４を有している。
【００３１】
なお、遊技機は、パチンコ機２の他にパロット機、パチスロ機、スロットマシン、アーケードマシン、各種ゲーム機を概念することができ、要するに、遊技媒体の流下による遊技を実現する遊技装置体の前方に装飾枠（前面枠）１２を有するあらゆる遊技機が含まれる。なお、パチンコ機においても、アレンジボール機、雀球機等の組合せ式パチンコ機、いわゆるセブン機等の景品球払出し式パチンコ機等のあらゆるパチンコ機が概念できるが、本実施の形態１においては、景品球払出し式のいわゆるセブン機について例示説明する。
【００３２】
パチンコ機２の枠ユニット３は、遊技盤６を保持するためのもので、このパチンコ機２の周囲又は周囲及び後方を囲むように構成される。枠ユニット３の内部には、遊技盤６の他にも各種電子基板や遊技媒体用の経路等各種機構部品が配置され、枠ユニット３によって周囲側面、又は周囲側面及び後方面からのパチンコ機２内部への不正アクセスが防止されるようになっている。
【００３３】
例えば、最後方に配置されてパチンコ機２の周囲を囲む筐体枠４、その前方にヒンジ部（揺動支持部）２２によって前方開閉可能に揺動支持されて遊技盤６を保持する機枠９とを有して枠ユニット３が構成される。なお、パチスロ機等の遊技機の場合においては、筐体枠４と機枠９との２つによって枠ユニット３が構成されるのでなく筐体枠４のみによって枠ユニット３が構成され、その筐体枠４が遊技装置体としての回胴装置を保持してその周囲、又は周囲及び後方を囲んでいる。
【００３４】
遊技盤６は、このパチンコ機２において遊技媒体としての球（パチンコ球）２３の流下による遊技を実現するための盤状部材であり、その表面（遊技盤面）６ａを前方から遊技者にとって視認可能となるように枠ユニット３（本実施の形態１においては、枠ユニット３の一部としての機枠９。）に保持されている。その遊技盤面６ａには略円形状に周囲を囲むようにレール飾り２６が取り付けられている。このレール飾り２６の内周面（内側面）２６ａは遊技盤面６ａに対して立設するように配置されている。そして、その内側面２６ａによって画定され、内側面２６ａに面した略円形状の領域が球２３の流下領域としての遊技領域６ｂとなっている。
【００３５】
遊技領域６ｂには、多数のゲージ（障害釘）２７、普通入賞口２８、特別入賞口２８ａ、始動入賞口２９、大入賞口２９ａ、アウト口３０、通過ゲート（不図示）、羽根車（不図示）等が配置され、遊技領域６ｂを流下する球２３の流下方向を変更させたり球２３を入賞させたりすることにより、球２３の流下による遊技の実現によって遊技者に興趣を与えることができるようになっている。その遊技領域６ｂの中央近傍には、図柄表示装置７も配置されている。
【００３６】
図柄表示装置７は、例えば、液晶表示装置・有機ＥＬディスプレイ・ＬＥＤ等により構成されて遊技盤面６ａ側から視認可能に設けられ、その表示画面（映像表示面）７ａ上に映像表示を行うものである。この表示画面７ａ上には、例えば、３桁の数字又は文字等により構成される表示図柄７ｂが回転又は停止するように映像として表示される。また、例えば、キャラクター等によるストーリー仕立ての映像としての演出映像７ｃも表示画面７ａ上に表示されるようになっている。
【００３７】
図示しない球発射装置により球２３が遊技領域６ｂ内の上部に向けて発射されると、球２３がゲージ２７に衝突しつつ遊技領域６ｂ内を下方に流下し、あるものは普通入賞口２８に入賞して一定数の景品球払出しの契機となり、あるものは特別入賞口２８ａに入賞して普通入賞口２８への入賞時よりも多数の景品球払出しの契機となり、あるものはいずれの入賞口にも入賞せずに遊技領域６ｂ内最下部に位置するアウト口３０からパチンコ機２の外部へと排出される。
【００３８】
球２３が始動入賞口２９に入賞すると、その入賞に起因して図柄表示装置７の表示図柄７ｂが回転表示を開始し、その表示図柄７ｂが所定の図柄（例えば、大当たりに対応する「７・７・７」。）で停止表示すれば、大入賞口２９ａが開放して多量の入賞球を受け入れ、多量の景品球が貯留皿１４へと払い出されるようになっている。
【００３９】
図２は、このパチンコ機２を正面から見て、装飾枠ユニット８部分を拡大して示した部分拡大図である。また、図３は、この装飾枠ユニット８の分解斜視図である。この装飾枠ユニット８は、装飾枠１２、装飾ユニット１６、スピーカ１７を有している。
【００４０】
装飾枠１２は、パチンコ機２の前方を囲む枠体である。その中央近傍に後述する前面ガラス１０が取り付けられる中央開口１２ａを有し、その中央開口１２ａを通して遊技者が遊技盤６を視認することができるようになっている。装飾枠１２は、機枠９とともにヒンジ部２２によって揺動支持され、機枠９に対して前方開閉可能とされている。その閉鎖状態において、前面ガラス１０と協働してパチンコ機２の前方を塞ぎ、前方からのパチンコ機２の内部への不正アクセスを防止している。
【００４１】
装飾枠１２の前面であって中央開口１２ａの両側方には、各々装飾ユニット１６が取り付けられており、この装飾ユニット１６は導光手段１８と発光手段１９とを有して構成されている。導光手段１８は、長手方向を同一方向（図３中矢印Ｘ方向。）として整列配置された複数の導光線材（柱状導光部材）１８ａを有して構成され、実質的に装飾枠１２の上端１２ｂ近傍から下端１２ｃ近傍に架けて配置されている。各導光線材１８ａは、互いに隙間Ｇを開けるようにその側部１８ｃ同士を隣接させて整列配置されている。この隙間Ｇが、導光手段１８の後方に配置されるスピーカ１７からの音声の音質劣化や音量低下を低減している。したがって、隙間Ｇの存在によって効果音等の音声が遊技者にクリアに伝達されることとなる。
【００４２】
その導光線材１８ａは、例えば本実施の形態１においては無色透明のエラストマー材料により形成されているが、もちろん光透過性を有する他の材料でもよく、その外観も乳白色、有色透明、半透明等であってもよい。導光線材１８ａの外形は、本実施の形態１においては断面円形の細長い円柱形状とされているが、断面形状は他の形状でもよく、また、中空の管構造であってもよい。
【００４３】
導光線材１８ａは、その端部１８ｂから光を内部に導入し、導入した光を側部１８ｃから外部に向けて放出する機能を有している。そのため、端部１８ｂを発光手段１９に向け、側部１８ｃを装飾枠１２の前方、すなわち遊技者に向けるように配置されている。
【００４４】
発光手段１９は、例えば装飾枠１２の側縁部近傍に位置するように配置され、導光線材１８ａの端部１８ｂに向けて装飾光を発光するものである。発光手段１９は、例えば光源基板上に多数のＬＥＤ１９ａが配列されて構成され、各ＬＥＤ１９ａが各々異なる導光線材１８ａの端部１８ｂに向けて装飾光を発光するようになっている。各ＬＥＤ１９ａはすべてが同一色の装飾光を発光するものであってもよいし、各々が異なる色の装飾光を発光するものであってもよい。各ＬＥＤ１９ａが各々異なる色の装飾光を発光するものである場合は、複数の導光線材１８ａの側部１８ｃからも各々異なる色の光が放出されることとなる。そうすると、その異なる色同士が混ざり合うように表現され、一層斬新で美しい光演出とすることができる。
【００４５】
発光手段１９は、導光線材１８ａの一方の端部１８ｂから装飾光を導入するように、装飾枠１２の側縁部近傍にのみ位置するように配置されてもよいが、もちろん、導光線材１８ａの両方の端部１８ｂから装飾光を導入するように、装飾枠１２の側縁部近傍に加えて中央開口１２ａ近傍にも位置するように配置されてもよい。２つの発光手段１９の各ＬＥＤ１９ａが各々異なる色の装飾光を発光すれば、導光線材１８ａの両方の端部１８ｂから異なる色の装飾光が内部に導入され、導光線材１８ａの内部でも色同士の混合が生じ、光演出に更なる美観を発揮させることができる。
【００４６】
導光手段１８の後方には、装飾枠１２に取り付けられたスピーカ１７が配置されている。スピーカ１７は、パチンコ機２の遊技の状況に応じて効果音等の音声を発するものであり、その振動板１７ａを前方に向けるように配置されている。導光線材１８ａ同士は隙間Ｇを開けて配置されているので、スピーカ１７からの効果音は遊技者に向けてクリアに伝達される。
【００４７】
本実施の形態１においては、２つのスピーカ１７が各々装飾枠１２の上端１２ｂに近い位置の左右両側に配置されている。しかしながら、その前方には上端１２ｂ近傍から下端１２ｃ近傍に架けて導光手段１８が配置されており、その導光手段１８によって遊技者からスピーカ１７が見え難くなっている。したがって、スピーカ１７の位置を特定することが困難であり、例えば隙間Ｇからピアノ線等の不正工具を侵入させてスピーカ１７の振動板１７ａを破損させるような不正行為を予防する効果を発揮している。
【００４８】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４９】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００５０】
貯留皿１４は、遊技者の持ち球を貯留するためにパチンコ機２の前面に配置された皿部材であって、本実施の形態１においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００５１】
［実施の形態２］
図４は、本発明の実施の形態２に係る装飾枠ユニット５８の分解斜視図である。この装飾枠ユニット５８は、装飾枠１２、装飾ユニット５６、スピーカ１７を有しており、その装飾ユニット５６が２つの導光手段１８，２０、２つの発光手段１９，２１、発光調整手段５１を有して構成されている。なお、本実施の形態２において、実施の形態１と同様の構成については同様の符号を付し、その説明を省略する。
【００５２】
導光手段２０は、導光手段１８と同様に、長手方向を同一方向として整列配置された複数の導光線材（柱状導光部材）１８ａを有して構成され、実質的に装飾枠１２の上端１２ｂ近傍から下端１２ｃ近傍に架けて配置されている。導光手段２０における複数の導光線材１８ａの長手方向（図４中矢印Ｙ方向。）は、導光手段１８における長手方向（Ｘ方向）と異なる方向とされ、導光手段１８における導光線材１８ａと導光手段２０における導光線材１８ａとは互いに交差している。本実施の形態２においては、導光手段１８の前方に導光手段２０が配置されているが、導光手段１８の導光線材１８ａと導光手段２０の導光線材１８ａとが互いに編み込まれるように交差していてもよい（図５参照）。
【００５３】
導光線材１８ａはエラストマー材料で形成されているので、弾性変形させつつ編み込むように配置することが可能である。この編み込みによって導光線材１８ａの内部に応力が生じて部分的に密度が変化する。それにより、側部１８ｃからの光の放出に部分的な変化を与えることができる。
【００５４】
発光手段２１も、発光手段１９と同様に、光源基板上に多数のＬＥＤ１９ａが配列されて構成され、各ＬＥＤ１９ａが各々異なる導光線材１８ａの端部１８ｂに向けて装飾光を発光するようになっている。そして、発光手段２１は、装飾枠１２の中央開口１２ａ近傍に位置するように配置され、導光手段２０を構成する導光線材１８ａの端部１８ｂに向けて装飾光を発光するようになっている。
【００５５】
発光手段１９を構成する複数のＬＥＤ１９ａ及び発光手段２１を構成する複数のＬＥＤ１９ａは、発光調整手段５１からの制御指令に基づいて各々異なる色や強度の装飾光を発光することができるように構成されている。発光手段１９を構成するＬＥＤ１９ａからの装飾光が導光手段１８を構成する導光線材１８ａの側部１８ｃから放出され、発光手段２１を構成するＬＥＤ１９ａからの装飾光が導光手段２０を構成する導光線材１８ａの側部１８ｃから放出され、各々の導光線材１８ａの交差配置によって装飾光が混ざり合うような光演出を実現することができるように構成されている。
【００５６】
各々のＬＥＤ１９ａの発光色や発光強度は、発光手段１９，２１に接続された発光調整手段５１によって調整されるようになっている。この発光調整手段５１は、例えば、パチンコ機２全体の遊技動作を制御する遊技制御回路（不図示）に接続されている。そして、遊技制御回路からの制御指令に基づき、遊技状況に応じて発光手段１９，２１の各ＬＥＤ１９ａのすべてに対して、発光色、発光強度、発光タイミング等の制御指令を送出することができるようになっている。したがって、図柄表示装置７における図柄変動、リーチ遊技、確率変動遊技、時間短縮遊技等の各遊技状況に応じて、フラッシュのように瞬間的に明滅するような光演出、光のグラデーションがあたかも流れるように表現される光演出等、多彩な光演出を行うことが可能となっている。
【００５７】
以上、本発明の好ましい実施の形態を説明したが、本発明はこれらに限定されるものではなく、その要旨の範囲内で様々な変形や変更が可能である。例えば、本実施の形態１，２においては、導光手段１８が装飾枠１２の上端１２ｂ近傍から下端１２ｃ近傍に架けて配置されている例について説明したが、導光手段１８が、装飾枠１２の上端１２ｂ近傍であって、左側端近傍から右側端近傍に架けて配置されていてもよい。装飾枠１２における中央開口１２ａの周囲の全域に亘って配置されていてもよいのはもちろんである。
【図面の簡単な説明】
【００５８】
【図１】本発明の実施の形態１に係るパチンコ機の正面図である。
【図２】図１に示すパチンコ機を正面から見て、装飾枠ユニット部分を拡大して示した部分拡大図である。
【図３】図２に示す装飾枠ユニットの分解斜視図である。
【図４】本発明の実施の形態２に係る装飾枠ユニットの分解斜視図である。
【符号の説明】
【００５９】
Ｇ：隙間
Ｘ，Ｙ：矢印
２：パチンコ機（遊技機）
３：枠ユニット
４：筐体枠（枠ユニットの一部）
６：遊技盤（遊技装置体）
６ａ：遊技盤面（表面）
６ｂ：遊技領域
７：図柄表示装置
７ａ：表示画面（映像表示面）
７ｂ：表示図柄
７ｃ：演出映像
８，５８：装飾枠ユニット（前面枠ユニット）
９：機枠（枠ユニットの一部）
１０：前面ガラス（前面透明板）
１２：装飾枠（前面枠）
１２ａ：中央開口
１２ｂ：上端
１２ｃ：下端
１４：貯留皿
１４ａ：上皿
１４ｂ：下皿
１４ｃ：球排出ボタン
１５：発射ハンドル
１６，５６：装飾ユニット
１７：スピーカ
１７ａ：振動板
１８，２０：導光手段
１８ａ：導光線材（柱状導光部材）
１８ｂ：端部
１８ｃ：側部
１９，２１：発光手段
１９ａ：ＬＥＤ
２２：ヒンジ部（揺動支持部）
２３：球（パチンコ球）
２６：レール飾り
２６ａ：内側面（内周面）
２７：ゲージ（障害釘）
２８：普通入賞口
２８ａ：特別入賞口
２９：始動入賞口
２９ａ：大入賞口
３０：アウト口
５１：発光調整手段
【図１】
2009078040.tif 000003
【図２】
2009078040.tif 000004
【図３】
2009078040.tif 000005
【図４】
2009078040.tif 000006